(57)【要約】  本開示の一態様に係るユーザ端末は、第１の下り制御情報を受信する受信部と、前記第１の下り制御情報に基づいて、前記第１の下り制御情報より前に受信される第２の下り制御情報又は上位レイヤパラメータに基づいて決定される時間及び周波数領域リソースの少なくとも一部を用いた前記上り送信の停止を制御する制御部と、を具備する。
2020065893.tif 000002
【特許請求の範囲】
【請求項１】
第１の下り制御情報を受信する受信部と、
前記第１の下り制御情報に基づいて、前記第１の下り制御情報より前に受信される第２の下り制御情報又は上位レイヤパラメータに基づいて決定される時間及び周波数領域リソースの少なくとも一部を用いた前記上り送信の停止を制御する制御部と、
を具備することを特徴とするユーザ端末。
【請求項２】
前記制御部は、第１の下り制御情報に基づいて、前記時間及び周波数領域リソースの少なくとも一部における前記上り送信をキャンセルすることを特徴とする請求項１に記載のユーザ端末。
【請求項３】
前記制御部は、第１の下り制御情報に基づいて、前記時間及び周波数領域リソースの少なくとも一部における前記上り送信を所定期間後に延期することを特徴とする請求項１に記載のユーザ端末。
【請求項４】
前記制御部は、第１の下り制御情報に基づいて、前記上り送信の周波数ホッピングに用いられる境界及びオフセットの少なくとも一つを変更することを特徴とする請求項１に記載のユーザ端末。
【請求項５】
前記制御部は、第１の下り制御情報に基づいて、前記時間及び周波数領域リソースの少なくとも一部における前記上り送信のキャンセル及び再送信を制御することを特徴とする請求項１に記載のユーザ端末。
【請求項６】
第１の下り制御情報を受信する工程と、
前記第１の下り制御情報に基づいて、前記第１の下り制御情報より前に受信される第２の下り制御情報又は上位レイヤパラメータに基づいて決定される時間及び周波数領域リソースの少なくとも一部を用いた前記上り送信の停止を制御する工程と、
を具備することを特徴とする無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（３ＧＰＰ  リリース（Ｒｅｌ）．８、９）の更なる大容量、高度化などを目的として、ＬＴＥ−Ａ（ＬＴＥアドバンスト、３ＧＰＰ  Ｒｅｌ．１０、１１、１２、１３、１４）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステムでは、ユーザ端末は、下り制御情報（ＤＣＩ：Downlink  Control  Information）（ＵＬグラント）に基づいて、上り共有チャネル（例えば、ＰＵＳＣＨ：Physical  Uplink  Shared  Channel）の送信を制御する。また、ユーザ端末は、上り制御チャネル（例えば、ＰＵＣＣＨ：Physical  Uplink  Control  Channel）の送信を制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
ＮＲでは、要求条件の異なる複数のサービス（例えば、ＵＲＬＬＣ（Ultra  Reliable  and  Low  Latency  Communications）及びｅＭＢＢ（enhanced  Mobile  Broad  Band）など）に関連する複数の通信（トラフィックタイプの異なる複数の通信）を行うことが想定される。【０００７】
例えば、第１のトラフィックタイプ（例えば、ｅＭＢＢ）よりも信頼性及び遅延の少なくとも一つに対する要求条件が厳しい第２のトラフィックタイプ（例えば、ＵＲＬＬＣ）の上り送信が発生する場合、当該第１のトラフィックタイプの上り送信を停止（stop）し、当該第１のトラフィックタイプの上り送信にスケジューリングされている時間／周波数領域リソースの少なくとも一部を用いて、当該第２のトラフィックタイプの上り送信を行うことが検討されている。【０００８】
しかしながら、既にスケジューリングされている第１のトラフィックタイプの上り送信をどのように停止するかは十分に検討されていない。第１のトラフィックタイプの上り送信を適切に停止できなければ、第２のトラフィックタイプの要求条件を満たすことができない恐れがある。同様の問題は、上位レイヤパラメータによって設定される第１のトラフィックタイプの上り送信用のリソース（例えば、設定グラントにより設定されるリソース）と、第２のトラフィックタイプの上り送信用のリソースとが衝突する場合にも生じ得る。【０００９】
そこで、本開示は、上り送信の停止を適切に制御可能なユーザ端末及び無線通信方法を提供することを目的の１つとする。
【課題を解決するための手段】
【００１０】
本開示の一態様に係るユーザ端末は、第１の下り制御情報を受信する受信部と、前記第１の下り制御情報に基づいて、前記第１の下り制御情報より前に受信される第２の下り制御情報又は上位レイヤパラメータに基づいて決定される時間及び周波数領域リソースの少なくとも一部を用いた前記上り送信の停止を制御する制御部と、を具備することを特徴とする。
【発明の効果】
【００１１】
本開示の一態様によれば、上り送信の停止を適切に制御できる。
【図面の簡単な説明】
【００１２】
【図１】図１Ａ〜１Ｄは、第１の態様に係るＵＥ固有ＤＣＩに基づく第１〜第３のキャンセル動作の一例を示す図である。
【図２】図２Ａ〜２Ｃは、第１の態様に係る共通ＤＣＩに基づく第１〜第３のキャンセル動作の一例を示す図である。
【図３】図３Ａ及び３Ｂは、第２の態様に係る第１の一時停止動作の一例を示す図である。
【図４】図４Ａ及び４Ｂは、第２の態様に係る第２の一時停止動作の一例を示す図である。
【図５】図５は、第２の態様に係るＤ／Ｕスロットのハンドリングの一例を示す図である。
【図６】図６Ａ〜６Ｃは、第２の態様の変形例に係る周波数領域リソースの変更動作の一例を示す図である。
【図７】図７は、一実施形態に係る無線通信システムの概略構成の一例を示す図である。
【図８】図８は、一実施形態に係る基地局の構成の一例を示す図である。
【図９】図９は、一実施形態に係るユーザ端末の構成の一例を示す図である。
【図１０】図１０は、一実施形態に係る基地局及びユーザ端末のハードウェア構成の一例を示す図である。
【発明を実施するための形態】
【００１３】
ＮＲでは、あるＵＥが、要求条件の異なる複数のサービス（例えば、ＵＲＬＬＣ（Ultra  Reliable  and  Low  Latency  Communications）及びｅＭＢＢ（enhanced  Mobile  Broad  Band）など）に関連する複数の通信（トラフィックタイプの異なる複数の通信）を行うことが想定される。
【００１４】
例えば、第１のトラフィックタイプ（例えば、ｅＭＢＢ）よりも信頼性及び遅延の少なくとも一つに対する要求条件が厳しい第２のトラフィックタイプ（例えば、ＵＲＬＬＣ）の上り送信が発生する場合、当該第２のトラフィックタイプの要求条件を満たすために、当該第１のトラフィックタイプの上り送信に既にスケジューリングされている時間領域リソース及び周波数領域リソースの少なくとも一つ（時間／周波数領域リソース）を当該第２のトラフィックタイプの上り送信に利用可能とすることが検討されている。
【００１５】
具体的には、上記第２のトラフィックタイプの上り送信が発生する場合、当該第１のトラフィックタイプの上り送信を停止（stop）し、当該第１のトラフィックタイプの上り送信にスケジューリングされている時間／周波数領域リソースの少なくとも一部を用いて、当該第２のトラフィックタイプの上り送信を行うことが検討されている。
【００１６】
しかしながら、上記第２のトラフィックタイプの上り送信が発生する場合、既にスケジューリングされている第１のトラフィックタイプの上り送信をどのように停止するかは十分に検討されていない。第１のトラフィックタイプの上り送信を適切に停止できなければ、第２のトラフィックタイプの要求条件を満たすことができない恐れがある。
【００１７】
そこで、本発明者らは、既にスケジューリングされている第１のトラフィックタイプの上り送信の停止を適切に制御する方法を検討し、本発明に至った。具体的には、既にスケジューリングされている第１のトラフィックタイプの上り送信をキャンセル（cancel）、一時的に停止（pause）又は再スケジュール（re-schedule）することにより、当該上り送信の停止を適切に制御することを着想した。
【００１８】
以下、本開示の一実施形態について、図面を参照して詳細に説明する。
【００１９】
なお、以下、本実施形態では、ＵＥは、第１のトラフィックタイプ（例えば、ｅＭＢＢ）よりも信頼性及び遅延の少なくとも一つに対する要求条件が厳しい第２のトラフィックタイプの上り送信（例えば、他のＵＥのＵＲＬＬＣ）が発生する場合、自身の当該第１のトラフィックタイプの上り送信の停止（stop）を制御することを想定する。
【００２０】
なお、トラフィックタイプは、下位レイヤ（例えば、物理レイヤ）においては、必ずしも認識されず、他のパラメータによって認識されてもよい。例えば、トラフィックタイプが異なることは、以下の少なくとも一つのパラメータによって認識されてもよい。
・優先度（priority）が異なる複数の論理チャネル（例えば、ＵＬ−ＳＣＨ：Uplink  Shared  Channel）
・変調及び符号化方式（ＭＣＳ：Modulation  and  Coding  Scheme）に関する設定値が異なる複数のテーブル（例えば、ＭＣＳインデックステーブル）
・ＤＣＩの異なる複数のフォーマット（ＤＣＩフォーマット）
・ＤＣＩのＣＲＣスクランブルに用いられる異なる複数の無線ネットワーク一時識別子（ＲＮＴＩ：Radio  Network  Temporary  Identifier）（例えば、第１のＲＮＴＩ（Ｃ−ＲＮＴＩ：Cell-RNTI等）及び第２のＲＮＴＩ（ＭＣＳ−Ｃ−ＲＮＴＩ）等）
・上位レイヤパラメータが示す値
・複数のサーチスペース
・ＤＣＩ内の所定フィールド（例えば、新規フィールド又は既存フィールド）が示す複数の値
【００２１】
なお、ＣＲＣスクランブルとは、ＤＣＩに含まれる（付加される）巡回冗長検査（ＣＲＣ：Cyclic  Redundancy  Check）ビットを所定の情報（例えば、ＲＮＴＩ）でスクランブル（マスク）することである。
【００２２】
また、本実施の形態において、上り送信は、例えば、ＰＵＳＣＨ及びＰＵＣＣＨの少なくとも一つの送信を含んでもよい。ＰＵＳＣＨは、ＤＣＩ（ＵＬグラント）によりスケジューリングされるＰＵＳＣＨ、及び、上位レイヤパラメータ（設定（configured）グラント）により設定されるＰＵＳＣＨの少なくとも一つを含んでもよい。
【００２３】
また、ＰＵＣＣＨは、周期的な上り制御情報（ＵＣＩ：Uplink  Control  Information）の送信に用いられるＰＵＣＣＨ、非周期的なＵＣＩの送信に用いられるＰＵＣＣＨの少なくとも一つを含んでもよい。また、本実施形態において「キャンセル」、「ドロップ」は互換的に用いられ、相互に言い換えられてもよい。
【００２４】
（第１の態様）
第１の態様では、上り送信の少なくとも一部のキャンセルについて説明する。
【００２５】
＜キャンセル指示（indication）＞
ＤＣＩは、上り送信のキャンセルに関する指示情報を含んでもよい。当該指示情報は、ＤＣＩ内の一以上のフィールドの値であってもよい。また、当該指示情報を含むＤＣＩは、例えば、ＵＥ固有（UE-specific）のＤＣＩ（ＵＥ固有ＤＣＩ）であってもよいし、又は、一以上のＵＥに共通のＤＣＩ（共通（common）ＤＣＩ）であってもよい。
【００２６】
≪ＵＥ固有ＤＣＩ≫
ＵＥ固有ＤＣＩ内の指示情報は、どの上り送信をキャンセルすべきかを示してもよい。例えば、基地局によってスケジューリングされる各上り送信には所定の番号（識別子）が付されており、当該指示情報は、キャンセルすべき上り送信に付される番号（識別子）（例えば、キャンセルすべきＰＵＳＣＨ又はＰＵＣＣＨの番号）を示してもよい。
【００２７】
また、ＵＥ固有ＤＣＩ内の指示情報は、どの時間／周波数領域リソースをキャンセルすべきか（空ける（empty）べきか）を示してもよい。例えば、当該指示情報は、所定の時間／周波数領域リソースを示してもよい。
【００２８】
≪共通ＤＣＩ≫
共通ＤＣＩ内の指示情報は、どの時間／周波数領域リソースをキャンセルすべきか（空ける（empty）べきか）を示してもよい。この場合、当該指示情報は、所定の時間／周波数領域リソースを示してもよい。
【００２９】
＜キャンセル動作（behavior）＞
ＵＥは、上記ＤＣＩ（例えば、ＵＥ固有ＤＣＩ又は共通ＤＣＩ）内の指示情報に基づいて、上り送信のキャンセルを制御する。
【００３０】
≪ＵＥ固有ＤＣＩに基づくキャンセル動作≫
ＵＥは、ＵＥ固有ＤＣＩに基づいて、以下の第１〜第３のキャンセル動作の少なくとも一つを適用してもよい。
【００３１】
第１のキャンセル動作では、ＵＥは、ＵＥ固有ＤＣＩ内の指示情報によって指示される残りの（remaining）上り送信の全てをキャンセルしてもよい（例えば、図１Ａ）。
【００３２】
ここで、残りの上り送信とは、上り送信にスケジューリング又は設定（configure）される時間領域リソースの少なくとも一部を用いた上り送信であってもよい。又は、上記指示情報を含むＤＣＩによって指示された上り送信であってもよい。又は、スケジューリング又は設定された時間領域リソースのうち、上記ＤＣＩ内の指示情報によって指示された時間領域リソースの所定シンボル（例えば、先頭シンボル又は先頭から所定数後のシンボル）以降における上り送信であってもよい。又は、スケジューリング又は設定された時間領域リソースのうち、上記ＤＣＩ内の指示情報によって指示された時間領域リソースの所定シンボル（例えば、先頭シンボル又は先頭から所定数後のシンボル）以降における、上記ＤＣＩによって指示された周波数領域リソースを除く上り送信であってもよい。
【００３３】
第２のキャンセル動作では、ＵＥは、ＵＥ固有ＤＣＩ内の指示情報によって指示される残りの上り送信の一部をキャンセルしてもよい（例えば、図１Ｃ）。具体的には、ＵＥは、当該指示情報によって指定される時間／周波数領域リソースに対応する上り送信をキャンセルし、スケジューリングされた他の時間／周波数領域リソースに対応する上り送信を行ってもよい。
【００３４】
第３のキャンセル動作では、ＵＥは、所定の条件を満たす時間領域リソースを用いた上り送信をキャンセルしてもよい（例えば、図１Ｄ）。当該所定の条件は、例えば、指示情報を含むＵＥ固有ＤＣＩの最終シンボルから所定期間後であることであってもよい。
【００３５】
第１〜第３のキャンセル動作のいずれをＵＥに適用するかは、予め仕様で定められていてもよいし、又は、所定の条件に基づいて制御されてもよい。具体的には、ＵＥは、上記残りの上り送信が復調用参照信号（ＤＭＲＳ：Demodulation  Reference  Signal）を有するか否か（上記残りの上り送信に対応する時間／周波数領域リソース内にＤＭＲＳが配置されるか否か）、及び、上記キャンセル動作が適用されるシンボルの直前のシンボルと上記ＤＣＩによって指示された時間領域リソースの直後のシンボルとの時間間隔Ｘの少なくとも一つに基づいて、第１のキャンセル動作又は第２のキャンセル動作のどちらをＵＥに適用するかを制御してもよい。
【００３６】
例えば、ＵＥは、ＵＥ固有ＤＣＩ内の指示情報によって指定される残りの上り送信がＤＭＲＳを含まない場合、第１のキャンセル動作を適用し、当該残りの上り送信がＤＭＲＳを含む場合、第２のキャンセル動作を適用してもよい。
【００３７】
また、ＵＥは、上記期間Ｘが所定の閾値Ｙよりも長い（又は、以上である）場合、第１のキャンセル動作を適用し、当該期間Ｘが所定の閾値Ｙ以下である（又は、より短い）場合、第２のキャンセル動作を適用してもよい。
【００３８】
ここで、当該所定の閾値Ｙは、上位レイヤパラメータに基づいて設定されてもよいし、又は、予め仕様で定められていてもよい。また、当該所定の閾値Ｙは、サブキャリア間隔（ＳＣＳ：Subcarrier  Spacing）に基づいて制御されてもよいし、又は、ＳＣＳに基づいて制御されなくともよい。
【００３９】
図１Ａ〜１Ｄは、第１の態様に係るＵＥ固有ＤＣＩに基づく第１〜第３のキャンセル動作の一例を示す図である。図１Ａ〜１Ｄでは、ＵＥは、ＤＣＩ（ＵＬグラント、例えば、ＤＣＩフォーマット０＿０又は０＿１）によりスケジューリング（指定）される時間／周波数領域リソースを用いて、ＰＵＳＣＨを送信しているものとする。
【００４０】
図１Ａに示すように、ＵＥは、ＵＥ固有ＤＣＩ内の指示情報によって指示される残りのＰＵＳＣＨ送信の全てをキャンセルしてもよい。例えば、図１Ａでは、残りのＰＵＳＣＨ送信がＤＭＲＳを含まないので、第１のキャンセル動作が適用される。なお、第１のキャンセル動作が適用される条件はこれに限られない。
【００４１】
また、図１Ｂでは、記キャンセル動作が適用されるシンボルの直前のシンボルと上記ＤＣＩによって指示された時間領域リソースの直後のシンボルとの時間間隔Ｘが所定の閾値Ｙよりも小さい（又は以下である）。このため、ＵＥは、残りのＰＵＳＣＨ送信を行ってもよい。なお、図示しないが、当該時間間隔Ｘが所定の閾値以上である（又は大きい）場合、当該残りのＰＵＳＣＨ送信を行わなくともよい。
【００４２】
また、図１Ｃに示すように、ＵＥは、ＵＥ固有ＤＣＩ内の指示情報によって指示される時間／周波数領域リソースに対応するＰＵＳＣＨ送信をキャンセルし、スケジューリングされた他の時間／周波数領域リソースに対応するＰＵＳＣＨ送信を行ってもよい。
【００４３】
また、図１Ｄに示すように、ＵＥは、ＵＥ固有ＤＣＩ内の指示情報（例えば、ＰＵＳＣＨの番号）によって指示されるＰＵＳＣＨのうち、所定の条件を満たす時間領域リソース（例えば、当該ＵＥ固有ＤＣＩの最終シンボルから所定期間後のシンボルなど）を用いたＰＵＳＣＨをキャンセルしてもよい。
【００４４】
なお、図１Ａ〜１Ｄでは、ＰＵＳＣＨ送信のキャンセル動作について例示するが、これに限られない。ＵＥ固有ＤＣＩに基づく第１〜第３のキャンセル動作は、ＰＵＣＣＨ送信等、他の上り送信に適用可能であることは勿論である。
【００４５】
≪共通ＤＣＩに基づくキャンセル動作≫
ＵＥは、共通ＤＣＩに基づいて、以下の第１〜第３のキャンセル動作の少なくとも一つを適用してもよい。
【００４６】
第１のキャンセル動作では、ＵＥは、共通ＤＣＩ内の指示情報によって指示される時間／周波数リソースの少なくとも一部を含む（と重複（overlap）する）残りの（remaining）上り送信の全てをキャンセルしてもよい（例えば、図２Ａ）。
【００４７】
第２のキャンセル動作では、ＵＥは、共通ＤＣＩ内の指示情報によって指示される残りの上り送信の一部をキャンセルしてもよい（例えば、図２Ｂ）。具体的には、ＵＥは、当該指示情報によって指定される時間／周波数領域リソースに対応する（と重複する）上り送信をキャンセルし、スケジューリングされた他の時間／周波数領域リソースに対応する上り送信を行ってもよい。
【００４８】
第３のキャンセル動作では、ＵＥは、所定の条件を満たす時間領域リソースを用いた上り送信をキャンセルしてもよい（例えば、図２Ｃ）。当該所定の条件は、例えば、指示情報を含むＵＥ固有ＤＣＩの最終シンボルから所定期間後であることであってもよい。
【００４９】
第１〜第３のキャンセル動作のいずれをＵＥに適用するかは、予め仕様で定められていてもよいし、又は、所定の条件に基づいて制御されてもよい。具体的には、ＵＥは、上記ＵＥ固有ＤＣＩに基づくキャンセル動作と同様の条件を用いて、第１のキャンセル動作又は第２のキャンセル動作のどちらをＵＥに適用するかを制御してもよい。
【００５０】
図２Ａ〜２Ｃは、第１の態様に係る共通ＤＣＩに基づく第１〜第３のキャンセル動作の一例を示す図である。図２Ａ〜２Ｃでは、図１Ａ〜１Ｃとの相違点を中心に説明する。
【００５１】
図２Ａに示すように、ＵＥは、共通ＤＣＩ内の指示情報によって指示される時間／周波数リソースの少なくとも一部と重複する、残りの（remaining）上り送信の全てをキャンセルしてもよい。
【００５２】
また、図２Ｂに示すように、ＵＥは、共通ＤＣＩ内の指示情報によって指示される時間／周波数領域リソースに対応するＰＵＳＣＨ送信をキャンセルし、スケジューリングされた他の時間／周波数領域リソースに対応するＰＵＳＣＨ送信を行ってもよい。
【００５３】
また、図２Ｃに示すように、ＵＥは、共通ＤＣＩ内の指示情報（例えば、ＰＵＳＣＨの番号）によって指示されるＰＵＳＣＨのうち、所定の条件を満たす時間領域リソース（例えば、当該ＵＥ固有ＤＣＩの最終シンボルから所定期間後のシンボルなど）を用いたＰＵＳＣＨをキャンセルしてもよい。
【００５４】
なお、図２Ａ〜２Ｃでは、ＰＵＳＣＨ送信のキャンセル動作について例示するが、これに限られない。ＵＥ固有ＤＣＩに基づく第１〜第３のキャンセル動作は、ＰＵＣＣＨ送信等、他の上り送信に適用可能であることは勿論である。
【００５５】
＜ＵＣＩハンドリング＞
次に、上記ＤＣＩ（例えば、ＵＥ固有ＤＣＩ又は共通ＤＣＩ）内の指示情報に基づいてキャンセルされた上り送信（例えば、ＰＵＳＣＨ又はＰＵＣＣＨ）に含まれるＵＣＩの取り扱い（handling）について説明する。
【００５６】
ここで、ＵＣＩは、下り共有チャネル（例えば、ＰＤＳＣＨ：Physical  Downlink  Shared  Channel）に対する送達確認情報（ＨＡＲＱ−ＡＣＫ：Hybrid  Automatic  Repeat  reQuest−ACKnowledge、ＡＣＫ／ＮＡＣＫ：ACKnowledge／Non-ACK）、スケジューリング要求（ＳＲ：Scheduling  Request）、チャネル状態情報（ＣＳＩ：Channel  State  Information）の少なくとも一つを含んでもよい。
【００５７】
ＵＥは、以下の第１〜第４のＵＣＩハンドリングの少なくとも一つを適用してもよい。
【００５８】
第１のＵＣＩハンドリングにおいて、ＵＥは、キャンセルされる上り送信に含まれるＵＣＩをドロップしてもよい（送信しなくともよい）。
【００５９】
第２のＵＣＩハンドリングにおいて、ＵＥは、キャンセルされる上り送信に含まれる特定のＵＣＩを再送信（再報告）し、他のＵＣＩをドロップしてもよい（送信しなくともよい）。当該特定のＵＣＩは、例えば、ＨＡＲＱ−ＡＣＫである。
【００６０】
ＤＣＩは、当該ＨＡＲＱ−ＡＣＫの再報告をトリガしてもよい。当該ＤＣＩは、上記指示情報を含むＵＥ固有ＤＣＩ又は共通ＤＣＩであってもよい。また、当該ＤＣＩは、当該ＨＡＲＱ−ＡＣＫの再報告に用いる時間／周波数リソースを指定してもよい。
【００６１】
第３のＵＣＩハンドリングにおいて、ＵＥは、キャンセルされる上り送信（例えば、ＰＵＳＣＨ）に含まれる少なくとも一部のＵＣＩを、他の上り送信（例えば、ＰＵＣＣＨ）で送信してもよい。
【００６２】
例えば、ＰＵＳＣＨがキャンセルされる場合、ＵＥは、当該ＰＵＳＣＨに含まれる少なくとも一部のＵＣＩ（例えば、ＨＡＲＱ−ＡＣＫ）を、ＰＵＣＣＨを用いて送信してもよい。ＵＥは、当該ＰＵＣＣＨ用のリソースを、ＤＣＩ及び上位レイヤパラメータの少なくとも一つに基づいて決定してもよい。なお、ＵＥは、当該ＰＵＳＣＨに含まれる他のＵＣＩ（例えば、ＣＳＩ）をドロップしてもよいし、ＰＵＣＣＨを用いて送信してもよい。
【００６３】
第４のＵＣＩハンドリングにおいて、ＵＥは、ＤＣＩに基づいて残りの上り送信（例えば、ＰＵＳＣＨ）の一部のみがキャンセルされる場合（例えば、図１Ｂ又は２Ｂ）、キャンセルされる上り送信（例えば、ＰＵＳＣＨ）に含まれるＵＣＩを、キャンセルされない上り送信（例えば、ＰＵＳＣＨ）用の時間／周波数領域リソースに再マップ（re-map）又は延期（postpone）してもよい。
【００６４】
第１の態様によれば、ＵＥは、ＤＣＩ内の指示情報に基づいて、上り送信のキャンセルを適切に制御できる。この結果、すでにスケジューリング又は設定されている第１のトラフィックタイプの上り送信をキャンセルして、第２のトラフィックタイプの上り送信を行うことができ、第１のトラフィックタイプよりも厳しい第２のトラフィックタイプの要求条件を満たすことができる。
【００６５】
（第２の態様）
第２の態様では、上り送信にスケジューリングされる時間／周波数領域リソースの少なくとも一部を時間領域及び周波数領域の少なくとも一方で変更（change）する。例えば、時間領域リソースの変更は、一時停止（pause）とも呼ばれる。ここで、一時停止とは、上り送信を一時的に停止して当該上り送信に基づく上り送信を所定期間後に行うこと、又は、上り送信を延期（postpone）すること等であってもよい。
【００６６】
＜一時停止指示＞
ＤＣＩは、上り送信の一時停止に関する指示情報を含んでもよい。当該指示情報は、ＤＣＩ内の一以上のフィールドの値であってもよい。また、当該指示情報を含むＤＣＩは、例えば、ＵＥ固有ＤＣＩであってもよいし、又は、共通ＤＣＩであってもよい。
【００６７】
≪ＵＥ固有ＤＣＩ≫
ＵＥ固有ＤＣＩ内の指示情報は、どの上り送信を一時停止すべきかを示してもよい。例えば、基地局によってスケジューリングされる各上り送信には所定の番号（識別子）が付されており、当該指示情報は、一時停止すべき上り送信に付される番号（識別子）（例えば、キャンセルすべきＰＵＳＣＨ又はＰＵＣＣＨの番号）を示してもよい。
【００６８】
当該指示情報は、どの上り送信のどの部分（例えば、どのトランスポートブロック（ＴＢ：Transport  Block）及びどのコードブロックグループ（ＣＢＧ：Code  Block  Gruop）の少なくとも一方）を一時停止すべきかを示してもよい。なお、ＣＢＧは、一以上のコードブロック（ＣＢ：Code  Block）を含み、ＴＢは、一以上のＣＢＧで構成されてもよい。
【００６９】
また、ＵＥ固有ＤＣＩ内の指示情報は、どの時間／周波数領域リソースをキャンセルすべきか（空ける（empty）べきか）を示してもよい。例えば、当該指示情報は、所定の時間／周波数領域リソースを示してもよい。
【００７０】
また、ＵＥ固有ＤＣＩ内の指示情報は、一時停止される上り送信されるどのくらいの期間（例えば、いくつのシンボル又はいくつのスロット）延期すべきかを示してもよい。すなわち、当該指示情報は、延期する期間（例えば、シンボル数Ｘ又はスロット数Ｘ）を示してもよい。
【００７１】
≪共通ＤＣＩ≫
共通ＤＣＩ内の指示情報は、どの上り送信を一時停止すべきかを示してもよい。例えば、基地局によってスケジューリングされる各上り送信には所定の番号（識別子）が付されており、当該指示情報は、一時停止すべき上り送信に付される番号（識別子）（例えば、キャンセルすべきＰＵＳＣＨ又はＰＵＣＣＨの番号）を示してもよい。また、当該指示情報は、どの上り送信のどの部分（例えば、どのＴＢ及びどのＣＢＧの少なくとも一方）を一時停止すべきかを示してもよい。
【００７２】
また、共通ＤＣＩ内の指示情報は、どの時間／周波数領域リソースをキャンセルすべきか（空ける（empty）べきか）を示してもよい。例えば、当該指示情報は、所定の時間／周波数領域リソースを示してもよい。
【００７３】
また、共通ＤＣＩ内の指示情報は、一時停止される上り送信されるどのくらいの期間（例えば、いくつのシンボル又はいくつのスロット）延期すべきかを示してもよい。すなわち、当該指示情報は、延期する期間（例えば、シンボル数Ｘ又はスロット数Ｘ）を示してもよい。
【００７４】
＜一時停止動作＞
ＵＥは、上記ＤＣＩ（例えば、ＵＥ固有ＤＣＩ又は共通ＤＣＩ）内の指示情報に基づいて、上り送信の一時停止を制御する。具体的には、ＵＥは、当該ＤＣＩに基づいて、以下の第１〜第３の一時停止動作の少なくとも一つを適用してもよい。
【００７５】
第１の一時停止動作では、ＵＥは、ＤＣＩ内の指示情報によって指示される上り送信を一時停止し、所定期間（例えば、Ｘシンボル又はＸスロット）後に同じ構成（configuration）を用いて送信してもよい（例えば、図３Ａ、３Ｂ）。当該構成には、例えば、当該上り送信の送信電力、ＤＭＲＳの構成（例えば、マッピングタイプ等）等の少なくとも一つが含まれてもよい。
【００７６】
第２の一時停止動作では、ＵＥは、ＤＣＩ内の指示情報によって指示される上り送信の一部を一時停止し、当該上り送信の一部がＤＭＲＳを含むか否かと、延期する期間との少なくとも一つに基づいて、当該上り送信をドロップ（キャンセル）するか又は所定期間後に延期するかを決定してもよい（例えば、図４Ａ、４Ｂ）。
【００７７】
具体的には、ＵＥは、当該指示情報によって指定される上り送信の一部がＤＭＲＳを含まない場合、当該上り送信の一部をドロップ（キャンセル）してもよい。一方、ＵＥは、当該上り送信の一部がＤＭＲＳを含む場合、当該上り送信の一部を所定期間後に送信してもよい。
【００７８】
或いは、ＵＥは、当該上り送信の一部がＤＭＲＳを含まなくても、延期する期間（例えば、Ｘシンボル又はＸスロット）が所定の閾値（例えば、Ｙシンボル又はＹスロット）よりも小さい（又は、以下である）場合、当該上り送信の一部を所定期間後に送信してもよい。
【００７９】
一方、当該上り送信の一部がＤＭＲＳを含まず、かつ、延期する期間（例えば、Ｘシンボル又はＸスロット）が所定の閾値（例えば、Ｙシンボル又はＹスロット）以上である（又は、より大きい）場合、ＵＥは、当該上り送信の一部をドロップ（キャンセル）してもよい。
【００８０】
第３の一時停止動作では、ＵＥは、所定の条件を満たす時間領域リソースを用いた上り送信を一時停止し、所定期間後に送信してもよい。当該所定の条件は、例えば、指示情報を含むＤＣＩの最終シンボルから所定期間後であることであってもよい。
【００８１】
図３Ａ及び３Ｂは、第２の態様に係る第１の一時停止動作の一例を示す図である。図３Ａ及び３Ｂでは、ＤＣＩ（ＵＬグラント、例えば、ＤＣＩフォーマット０＿０又は０＿１）により所定の時間／周波数領域リソースにＰＵＳＣＨがスケジューリングされているものとする。
【００８２】
図３Ａに示すように、ＵＥは、他のＤＣＩ内の指示情報によって指示されるＰＵＳＣＨ（ＤＭＲＳを含む）の送信を一時停止し、所定期間（例えば、Ｘシンボル又はＸスロット）後に同じ構成（configuration）を用いて送信してもよい。例えば、図３Ａでは、当該他のＤＣＩにより、前のＤＣＩによりスケジューリングされるＰＵＳＣＨの全て（ＤＭＲＳを含む）の一時停止が指定される。このため、ＵＥは、所定期間後に当該ＰＵＳＣＨの全てを送信する。
【００８３】
図３Ａに示すように、当該所定期間（延期する期間）は、前のＤＣＩでＰＵＳＣＨにスケジューリングされる時間領域リソースの最終シンボル（又は当該最終シンボルの次のシンボル）又は当該時間領域リソースの開始シンボルから、Ｘシンボル又はＸスロット後であってもよい。当該シンボル数Ｘ又はスロット数Ｘは、上記他のＤＣＩによって指定されてもよいし、上位レイヤパラメータによって設定されてもよいし、又は、予め仕様で定められていてもよい。
【００８４】
図３Ｂでは、当該他のＤＣＩにより、前のＤＣＩによりスケジューリングされるＰＵＳＣＨの一部の一時停止が指定される点で図３Ａと異なる。図３Ｂでは、図３Ａとの相違点を説明する。
【００８５】
図３Ｂに示すように、ＰＵＳＣＨの一部の一時停止が指示された場合、ＵＥは、所定期間（例えば、Ｘシンボル又はＸスロット）後に、ＰＵＳＣＨ全体を送信してもよい。
【００８６】
図４Ａ及び４Ｂは、第２の態様に係る第２の一時停止動作の一例を示す図である。図４Ａ及び４Ｂでは、ＤＣＩ（ＵＬグラント、例えば、ＤＣＩフォーマット０＿０又は０＿１）によりスケジューリングされる時間／周波数領域リソースを用いたＰＵＳＣＨの送信が開始されているものとする。
【００８７】
図４Ａに示すように、ＵＥは、他のＤＣＩ内の指示情報によって指示されるＰＵＳＣＨ用の一部の時間領域リソースがＤＭＲＳを含まない場合、当該時間領域リソースにおけるＰＵＳＣＨの送信をドロップ（キャンセル）してもよい。
【００８８】
一方、図４Ｂに示すように、ＵＥは、他のＤＣＩ内の指示情報によって指示されるＰＵＳＣＨ用の一部の時間領域リソースがＤＭＲＳを含まなくても、延期する期間（例えば、Ｘシンボル又はＸスロット）が所定の閾値（例えば、Ｙシンボル又はＹスロット）よりも小さい（又は、以下である）場合、当該延期する期間後に、一時停止したＰＵＳＣＨの送信を行ってもよい。
【００８９】
なお、図４Ｂでは、延期する期間が、前のＤＣＩでＰＵＳＣＨにスケジューリングされる時間領域リソースの最終シンボル（又は当該最終シンボルの次のシンボル）からＸシンボル又はＸスロット後である例が示されるがこれに限られない。例えば、当該延期する期間は、当該時間領域リソースの開始シンボルからＸシンボル又はＸスロット後であってもよい。
【００９０】
＜ＵＣＩハンドリング＞
次に、上記ＤＣＩ（例えば、ＵＥ固有ＤＣＩ又は共通ＤＣＩ）内の指示情報に基づいて一時停止された上り送信（例えば、ＰＵＳＣＨ又はＰＵＣＣＨ）に含まれるＵＣＩの取り扱いについて説明する。具体的には、ＵＥは、以下の第１〜第３のＵＣＩハンドリングの少なくとも一つを適用してもよい。
【００９１】
第１のＵＣＩハンドリングにおいて、ＵＥは、一時停止される上り送信に含まれるＵＣＩをドロップしてもよい（送信しなくともよい）。
【００９２】
第２のＵＣＩハンドリングにおいて、ＵＥは、一時停止される上り送信に含まれる少なくとも一部のＵＣＩ（例えば、ＨＡＲＱ−ＡＣＫ）を他のＰＵＳＣＨに送信（多重）してもよい。なお、ＵＥは、一部のＵＣＩ（例えば、ＣＳＩ）をドロップしてもよい（送信しなくともよい）し、当該他の上り送信に多重してもよい。
【００９３】
第３のＵＣＩハンドリングにおいて、ＵＥは、一時停止される上り送信（例えば、ＰＵＳＣＨ）に含まれる少なくとも一部のＵＣＩを、他のＰＵＣＣＨで送信（多重）してもよい（ＰＵＣＣＨにフォールバックしてもよい）。
【００９４】
例えば、ＰＵＳＣＨが一時停止される場合、ＵＥは、当該ＰＵＳＣＨに含まれる少なくとも一部のＵＣＩ（例えば、ＨＡＲＱ−ＡＣＫ）を、ＰＵＣＣＨを用いて送信してもよい。ＵＥは、当該ＰＵＣＣＨ用のリソースを、ＤＣＩ及び上位レイヤパラメータの少なくとも一つに基づいて決定してもよい。なお、ＵＥは、当該ＰＵＳＣＨに含まれる他のＵＣＩ（例えば、ＣＳＩ）をドロップしてもよいし、ＰＵＣＣＨを用いて送信してもよい。
【００９５】
＜Ｄ／Ｕスロットのハンドリング＞
ＮＲでは、ＵＥは、所定期間内に含まれる一以上のスロットの構成（スロット構成）が上位レイヤパラメータ（例えば、TDD-UL-DL-ConfigCommon、TDD-UL-DL-ConfigDedicatedなど）及びＤＣＩ内の所定フィールド（例えば、スロットフォーマット識別子（ＳＦＩ：Slot  Format  Indicator）フィールド）の値の少なくとも一つに基づいて制御することが検討されている。
【００９６】
当該スロット構成は、時間分割複信（ＴＤＤ：Time  Divisional  Duplex）構成、ＳＦＩ指示等とも呼ばれる。当該スロット構成には、例えば、以下の少なくとも一つが含まれてもよい。
・下り（ＤＬ：Downlink）用のシンボル（ＤＬシンボル）のみを含むスロット（ＤＬスロット）の連続数（nrofDownlinkSlots）
・ＤＬシンボルの連続数（nrofDownlinkSymbols）
・ＵＬシンボルのみを含むスロット（ＵＬスロット）の連続数（nrofUplinkSlots）
・ＵＬシンボルの連続数（nrofUplinkSymbols）
・各スロットのインデックス（slotIndex）
・各スロット内の各シンボルの伝送方向（例えば、全てＤＬシンボル（allDownlink）、全てＵＬシンボル（all  Uplink）又は明示的指示（explicit）など）、なお、明示的指示には、スロット内のＤＬシンボル及びＵＬシンボルの連続数（nrofDownlinkSlots、nrofUplinkSymbols）が含まれてもよい。
【００９７】
以上のスロット構成に基づいて制御されるスロットの種類には、上記ＤＬスロット、ＵＬスロット、及び、ＤＬシンボル、ＵＬシンボル、ＤＬとＵＬとの切り替え用のシンボル（ガード期間（ＧＰ：Guard  Period）等ともいう）を含むスロット（Ｄ／Ｕスロット）がある。
【００９８】
しかしながら、上記ＤＣＩ（例えば、ＵＥ固有ＤＣＩ又は共通ＤＣＩ）内の指示情報によって指定される上り送信がＤ／Ｕスロットに延期されても、Ｄ／Ｕスロット内で利用可能なＵＬシンボル数が当該上り送信用のシンボル数に満たない恐れがある。
【００９９】
そこで、ＤＣＩ内の指示情報に基づいて延期される上り送信を行うスロット内で利用可能なＵＬシンボル数が当該上り送信用のシンボル数に満たない場合、ＵＥは、当該上り送信をドロップしてもよいし、再度一時停止（re-pause）してもよいし、又は、エラーケースとして想定してもよい。
【０１００】
図５は、第２の態様に係るＤ／Ｕスロットのハンドリングの一例を示す図である。例えば、図５では、ＤＬスロット＃１で検出されるＤＣＩ内の指示情報が、ＵＬスロット＃４にスケジューリングされるＰＵＳＣＨ（例えば、１４シンボルのＰＵＳＣＨ）を、Ｄ／Ｕスロット＃７に延期することを指示するものとする。
【０１０１】
例えば、図５に示すＤ／Ｕスロット＃７は、ＤＬシンボル＃０〜＃７、ＧＰ用のシンボル＃８及び＃９、ＵＬシンボル＃１０〜＃１３を含む。一方、スロット＃４から延期されるＰＵＳＣＨは１４シンボルである。このため、Ｄ／Ｕスロット＃７で利用可能なＵＬシンボル数（＝４）は、スロット＃４から延期されるＰＵＳＣＨのシンボル数（＝１４）に満たない。
【０１０２】
そこで、図５に示される場合、ＵＥは、Ｄ／Ｕスロット＃７に延期されるＰＵＳＣＨをドロップしてもよいし、又は、再度一時停止してもよいし、又は、エラーケースとして想定してもよい。ＵＥが、エラーケースと想定する場合、基地局は、ＰＵＳＣＨの延期先がＤ／Ｕスロットとならないように、ＤＣＩ内の指示情報によって指定される延期する期間を制御してもよい。
【０１０３】
また、元の上り送信（例えば、ＵＬスロット＃４にスケジューリングされるＰＵＳＣＨ）と、延期後の上り送信との間のギャップ（延期する期間）は、利用可能なＵＬシンボル数が当該上り送信用のシンボル数以上であるスロットに基づいて決定されてもよい。
【０１０４】
なお、図５では、ＰＵＳＣＨ送信のＤ／Ｕスロットのハンドリングについて例示するが、これに限られない。図５で説明したＤ／Ｕスロットのハンドリングは、ＰＵＣＣＨ送信等、他の上り送信に適用可能であることは勿論である。
【０１０５】
＜変形例＞
以上の第２の態様では、上り送信にスケジューリングされる時間領域リソースを変更する例を説明したが、上り送信にスケジューリングされる周波数領域リソースがＤＣＩ（例えば、ＵＥ固有ＤＣＩ又は共通ＤＣＩ）内の指示情報に基づいて変更されてもよい。
【０１０６】
≪周波数領域に関する変更指示≫
ＤＣＩは、上り送信にスケジューリングされる周波数領域リソース（例えば、周波数ホッピング（ＦＨ：Frequency  Hopping）の境界（boundary）（ＦＨ境界）及びＦＨに用いられるオフセット（ＦＨオフセット）の少なくとも一つ）に関する指示情報を含んでもよい。当該指示情報は、ＤＣＩ内の一以上のフィールドの値であってもよい。また、当該指示情報を含むＤＣＩは、例えば、ＵＥ固有ＤＣＩであってもよいし、又は、共通ＤＣＩであってもよい。以降では、ＦＨ境界及び／又はＦＨオフセットは周波数領域リソースと読み替えられてもよい。
【０１０７】
ＤＣＩ内の指示情報は、例えば、ＦＨ境界及びＦＨオフセットの少なくとも一つの変更を示してもよい。また、当該指示情報は、どの上り送信について変更すべきかを示してもよい。例えば、基地局によってスケジューリングされる各上り送信には所定の番号（識別子）が付されており、当該指示情報は、一時停止すべき上り送信に付される番号（識別子）（例えば、キャンセルすべきＰＵＳＣＨ又はＰＵＣＣＨの番号）を示してもよい。
【０１０８】
また、当該ＤＣＩ（又は当該ＤＣＩ内の指示情報）は、新たなＦＨ境界を示す情報（例えば、ＦＨ境界の時間領域のオフセット（例えば、シンボル数）又はＦＨ境界となるシンボルのインデックスなど）及び新たなＦＨオフセットを示す情報（例えば、リソースブロック（物理リソースブロック（ＰＲＢ：Physical  Resource  Block））の数）の少なくとも一つを含んでもよい。
【０１０９】
≪周波数領域リソースの変更動作≫
ＵＥは、上記ＤＣＩ（例えば、ＵＥ固有ＤＣＩ又は共通ＤＣＩ）内の指示情報に基づいて、上り送信にスケジューリングされる少なくとも一部の周波数領域リソースの変更を制御する。
【０１１０】
具体的には、ＵＥは、当該ＤＣＩ内の指示情報に基づいて、ＦＨ境界及びＦＨオフセットの少なくとも一つを変更してもよい（例えば、図６Ａ、６Ｂ、６Ｃ）。
【０１１１】
また、ＵＥは、所定の条件が満たされる場合、上記ＦＨ境界及びＦＨオフセットの少なくとも一つの変更を適用してもよい。当該所定の条件は、例えば、指示情報を含むＤＣＩの最終シンボルから所定期間後であることであってもよい。
【０１１２】
図６Ａ〜６Ｃは、第２の態様の変形例に係る周波数領域リソースの変更動作の一例を示す図である。図６Ａ〜６Ｃでは、ＤＣＩ（ＵＬグラント、例えば、ＤＣＩフォーマット０＿０又は０＿１）により所定の時間／周波数領域リソースにＰＵＳＣＨがスケジューリングされているものとする。
【０１１３】
例えば、図６Ａでは、ＤＣＩによりスケジューリングされるＰＵＳＣＨには、３番目と４番目のシンボルの間（３又は４番目のシンボル）をＦＨ境界として、ＦＨオフセット＃１を用いたＦＨが適用される。
【０１１４】
図６Ｂに示すように、ＵＥは、他のＤＣＩ内の指示情報に基づいて、ＦＨ境界を、３番目の４番目のシンボルの間から、６番目と７番目のシンボルの間（６又は７番目のシンボル）に変更してもよい。なお、ＦＨ境界のオフセット（例えば、シンボル数）は、予め仕様で定められていてもよいし、上位レイヤパラメータで設定されてもよいし、当該他のＤＣＩ内の指示情報によって指定されてもよい。
【０１１５】
図６Ｂに示すように、ＦＨ境界が所定期間後に変更される場合、ＵＥは、ＤＭＲＳをマッピングするシンボルの少なくとも一つの位置を変更してもよい。例えば、図６Ａでは、４番目のシンボルにＤＭＲＳがマッピングされるが、図６Ｂでは、７番目のシンボルにＤＭＲＳがマッピングされる。図６Ｂに示すように、ＤＭＲＳのマッピング位置を変更することにより、ＦＨ境界を変更する場合でも、第２のホップのＰＵＳＣＨの復調を適切に行うことができる。
【０１１６】
また、図６Ｃに示すように、ＵＥは、他のＤＣＩ内の指示情報に基づいて、ＦＨオフセット＃１をＦＨオフセット＃２に変更してもよい。なお、仕様、上位レイヤパラメータ又はＤＣＩ内の指示情報の少なくとも一つにより、ＦＨオフセット＃１及び＃２間の変更量（例えば、ＰＲＢ数）が決定されてもよいし、第１ホップに対するＦＨオフセット＃２が決定されてもよい。
【０１１７】
なお、図示しないが、図６Ｂ及び６Ｃを組み合わせて、ＵＥは、ＤＣＩ内の指示情報に基づいて、ＦＨ境界及びＦＨオフセットの両方を変更してもよい。
【０１１８】
以上の第２の態様では、ＵＥは、ＤＣＩ内の指示情報に基づいて、上り送信の周波数領域リソース又は時間領域リソースを適切に変更できる。この結果、すでにスケジューリング又は設定されている第１のトラフィックタイプの上り送信に割り込んで、第２のトラフィックタイプの上り送信を行うことができ、第１のトラフィックタイプよりも厳しい第２のトラフィックタイプの要求条件を満たすことができる。
【０１１９】
（第３の態様）
第３の態様では、上り送信にスケジューリングされる時間／周波数領域リソースの少なくとも一部の再スケジュール（re-schedule）について説明する。ここで、再スケジュールとは、上り送信をキャンセルして、ＤＣＩにより当該キャンセルされた上り送信に対して他の時間／周波数領域リソースをスケジュールすることであってもよい。
【０１２０】
＜再スケジュール指示＞
ＤＣＩは、（１）上り送信の停止（stop）（又はキャンセル）及び（２）当該上り送信の再送信（re-transmit）の少なくとも一つに関する指示情報を含んでもよい。当該指示情報は、ＤＣＩ内の一以上のフィールドの値であってもよい。また、当該指示情報を含むＤＣＩは、例えば、ＵＥ固有ＤＣＩであってもよいし、又は、共通ＤＣＩであってもよい。
【０１２１】
（１）ＤＣＩ内の指示情報は、上り送信の停止又はキャンセルに関する情報を示してもよい。ここで、ＵＥは、通常の再送のためのスケジューリングに用いられるＤＣＩであるか、再スケジュール（stop  and  re-tx）に用いられるＤＣＩであるか、を識別する必要がある。
【０１２２】
そこで、ＵＥは、通常の再送ためのスケジューリング用であるか、又は、再スケジュールのいずれであるか、を明示的に通知されてもよいし、又は、黙示的に通知されてもよい。例えば、ＤＣＩ内の所定フィールド値（例えば、新たなビットフィールド又は既存フィールド）は、通常の再送ためのスケジューリング用であるか、又は、再スケジュールのいずれであるかを示してもよい。
【０１２３】
或いは、ＵＥは、起動されているタイマの種別に基づいて、通常の再送ためのスケジューリング用であるか、又は、再スケジュールのいずれであるかを決定してもよい。例えば、ＵＥは、ＨＡＲＱラウンドトリップ時間（ＲＴＴ：Round  Trip  Time）タイマの起動中であれば、ＤＣＩが再スケジュール（stop  and  re-tx）用であると決定してもよい。一方、ＵＥは、ＨＡＲＱ再送信（re-transmission）タイマの起動中であれば、ＤＣＩが通常の再送のためのスケジューリング用であると決定してもよい。
【０１２４】
また、ＵＬグラントの受信と上り送信が終了するまでの期間を計測するタイマが導入されてもよい。当該タイマの起動中にＤＣＩが受信される場合、ＵＥは、当該ＤＣＩが再スケジュール（stop  and  re-tx）用であると決定してもよい。
【０１２５】
（２）ＤＣＩ内の指示情報は、上り送信の再送信に関する情報（例えば、再送信用の時間／周波数領域リソース）を示してもよい。当該情報は、所定のＤＣＩフォーマット（例えば、ＤＣＩフォーマット０＿０、０＿１、１＿０又は１＿１）内の所定フィールド（例えば、新たなフィールド）によって示されてもよいし、又は、新たなＤＣＩフォーマットによって示されてもよい。
【０１２６】
＜再スケジュール動作＞
ＵＥは、上記ＤＣＩ（例えば、ＵＥ固有ＤＣＩ又は共通ＤＣＩ）内の指示情報に基づいて、上り送信のキャンセルを制御する。
【０１２７】
ＵＥは、ＤＣＩ内の指示情報に基づいて上り送信をキャンセルし、当該ＤＣＩ内の指示情報に基づいて決定される時間／周波数領域リソースを用いて、当該上り送信を行ってもよい。例えば、ＵＥは、第１の態様の第１〜第３のキャンセル動作を適用して、当該上り送信をキャンセルしてもよい。
【０１２８】
また、ＤＣＩ内の指示情報によって指定される上り送信（例えば、ＰＵＳＣＨ）が、他の上り送信（例えば、ＰＵＣＣＨ）からピギーバックされるＵＣＩを含み、かつ、当該上り送信用の指示情報（例えば、キャンセル、一時停止又は再スケジュールに関する指示情報）が受信されない場合、ＵＥは、当該ＵＣＩを再送信される上り送信で送信されなくともよい。この場合、ＵＥは、当該ＵＣＩを元の上り送信（例えば、ＰＵＣＣＨ）で送信してもよいし、又は、ドロップしてもよい。
【０１２９】
或いは、ＤＣＩ内の指示情報によって指定される上り送信（例えば、ＰＵＳＣＨ）が、他の上り送信（例えば、ＰＵＣＣＨ）からピギーバックされるＵＣＩを含み、かつ、当該上り送信用の指示情報（例えば、キャンセル、一時停止又は再スケジュールに関する指示情報）が受信されない場合、ＵＥは、当該ＵＣＩを再送信される上り送信で送信されてもよい。
【０１３０】
第３の態様によれば、ＵＥは、ＤＣＩ内の指示情報に基づいて、上り送信をキャンセルして、再スケジュールできる。この結果、すでにスケジューリング又は設定されている第１のトラフィックタイプの上り送信に割り込んで、第２のトラフィックタイプの上り送信を行うことができ、第１のトラフィックタイプよりも厳しい第２のトラフィックタイプの要求条件を満たすことができる。
【０１３１】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１３２】
図７は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【０１３３】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビィティ（ＥＮ−ＤＣ：E-UTRA-NR  Dual  Connectivity）、ＮＲとＬＴＥとのデュアルコネクティビィティ（ＮＥ−ＤＣ：NR-E-UTRA  Dual  Connectivity）などを含んでもよい。
【０１３４】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１３５】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【０１３６】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１３７】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（Carrier  Aggregation）及びデュアルコネクティビティ（ＤＣ）の少なくとも一方を利用してもよい。
【０１３８】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１３９】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【０１４０】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【０１４１】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【０１４２】
ユーザ端末２０は、ＬＴＥ、ＬＴＥ−Ａ、５Ｇなどの通信方式の少なくとも１つに対応した端末であってもよい。
【０１４３】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【０１４４】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１４５】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【０１４６】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【０１４７】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【０１４８】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【０１４９】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１５０】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１５１】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１５２】
ＰＵＣＣＨによって、チャネル状態情報（ＣＳＩ：Channel  State  Information）、の送達確認情報（例えば、ＨＡＲＱ−ＡＣＫ（Hybrid  Automatic  Repeat  reQuest）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【０１５３】
なお、本開示において下りリンク、上りリンクなどは「リンク」を付けずに表現されてもよい。また、各種チャネルの先頭に「物理（Physical）」を付けずに表現されてもよい。
【０１５４】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【０１５５】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【０１５６】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【０１５７】
（基地局）
図８は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１５８】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１５９】
制御部１１０は、基地局１０全体の制御を実施する。制御部１１０は、本開示に係る技術分野での共通認識に基づいて説明されるコントローラ、制御回路などから構成することができる。
【０１６０】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１６１】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１６２】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１６３】
送受信アンテナ１３０は、本開示に係る技術分野での共通認識に基づいて説明されるアンテナ、例えばアレイアンテナなどから構成することができる。
【０１６４】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１６５】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１６６】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０１６７】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０１６８】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１６９】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１７０】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１７１】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０１７２】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１７３】
なお、本開示における基地局１０の送信部及び受信部は、送受信部１２０、送受信アンテナ１３０及び伝送路インターフェース１４０の少なくとも１つによって構成されてもよい。
【０１７４】
なお、送受信部１２０は、上り信号（例えば、上り制御チャネル、上り共有チャネル、ＤＭＲＳ）を受信する。また、送受信部１２０は、下り信号（例えば、下り制御チャネル、下り共有チャネル、ＤＭＲＳ、下り制御情報、上位レイヤパラメータ）を送信する。
【０１７５】
（ユーザ端末）
図９は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１７６】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１７７】
制御部２１０は、ユーザ端末２０全体の制御を実施する。制御部２１０は、本開示に係る技術分野での共通認識に基づいて説明されるコントローラ、制御回路などから構成することができる。
【０１７８】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１７９】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１８０】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１８１】
送受信アンテナ２３０は、本開示に係る技術分野での共通認識に基づいて説明されるアンテナ、例えばアレイアンテナなどから構成することができる。
【０１８２】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１８３】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１８４】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１８５】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１８６】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１８７】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１８８】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１８９】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１９０】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１９１】
なお、本開示におけるユーザ端末２０の送信部及び受信部は、送受信部２２０、送受信アンテナ２３０及び伝送路インターフェース２４０の少なくとも１つによって構成されてもよい。
【０１９２】
なお、送受信部２２０は、上り信号（例えば、上り制御チャネル、上り共有チャネル、ＤＭＲＳ）を送信する。また、送受信部２２０は、下り信号（例えば、下り制御チャネル、下り共有チャネル、ＤＭＲＳ、下り制御情報、上位レイヤパラメータ）を受信する。
【０１９３】
制御部２１０は、第１の下り制御情報に基づいて、前記第１の下り制御情報より前に受信される第２の下り制御情報又は上位レイヤパラメータに基づいて決定される時間及び周波数領域リソースの少なくとも一部を用いた前記上り送信の停止を制御する。
【０１９４】
制御部２１０は、第１の下り制御情報に基づいて、前記時間及び周波数領域リソースの少なくとも一部における前記上り送信をキャンセルする（第１の態様）。
【０１９５】
制御部２１０は、第１の下り制御情報に基づいて、前記時間及び周波数領域リソースの少なくとも一部における前記上り送信を所定期間後に延期する（第２の態様）。
【０１９６】
制御部２１０は、第１の下り制御情報に基づいて、前記上り送信の周波数ホッピングに用いられる境界及びオフセットの少なくとも一つを変更する（第２の態様の変形例）。
【０１９７】
制御部２１０は、第１の下り制御情報に基づいて、前記時間及び周波数領域リソースの少なくとも一部における前記上り送信のキャンセル及び再送信を制御する（第３の態様）。
【０１９８】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１９９】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２００】
例えば、本開示の一実施形態における基地局、ユーザ端末などは、本開示の無線通信方法の処理を行うコンピュータとして機能してもよい。図１０は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２０１】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０２０２】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２０３】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２０４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０２０５】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０２０６】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２０７】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２０８】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０２０９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２１０】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２１１】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２１２】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２１３】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２１４】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２１５】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２１６】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２１７】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２１８】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２１９】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２２０】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２２１】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２２２】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２２３】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２２４】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２２５】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２２６】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２２７】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２２８】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２２９】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２３０】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２３１】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２３２】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２３３】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２３４】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２３５】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２３６】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２３７】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２３８】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０２３９】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２４０】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２４１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２４２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２４３】
本開示において使用する「システム」及び「ネットワーク」という用語は、互換的に使用され得る。「ネットワーク」は、ネットワークに含まれる装置（例えば、基地局）のことを意味してもよい。
【０２４４】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２４５】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２４６】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２４７】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２４８】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２４９】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２５０】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２５１】
同様に、本開示におけるユーザ端末は、基地局で読み替えてもよい。この場合、上述のユーザ端末２０が有する機能を基地局１０が有する構成としてもよい。
【０２５２】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２５３】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２５４】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２５５】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２５６】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２５７】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２５８】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２５９】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２６０】
また、「判断（決定）」は、「想定する（assuming）」、「期待する（expecting）」、「みなす（considering）」などで読み替えられてもよい。
【０２６１】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２６２】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２６３】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２６４】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２６５】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２６６】
本開示において、例えば、英語でのa,  an及びtheのように、翻訳によって冠詞が追加された場合、本開示は、これらの冠詞の後に続く名詞が複数形であることを含んでもよい。
【０２６７】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020065893.tif 000003
【図２】
2020065893.tif 000004
【図３】
2020065893.tif 000005
【図４】
2020065893.tif 000006
【図５】
2020065893.tif 000007
【図６】
2020065893.tif 000008
【図７】
2020065893.tif 000009
【図８】
2020065893.tif 000010
【図９】
2020065893.tif 000011
【図１０】
2020065893.tif 000012
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
Ｐｈｙｓｉｃａｌ  Ｕｐｌｉｎｋ  Ｓｈａｒｅｄ  Ｃｈａｎｎｅｌ（ＰＵＳＣＨ）送信のキャンセル指示を含む第１のＤｏｗｎｌｉｎｋ  Ｃｏｎｔｒｏｌ  Ｉｎｆｏｒｍａｔｉｏｎ（ＤＣＩ）と、前記ＰＵＳＣＨ送信の優先度を示すパラメータを含む第２のＤＣＩと、を受信する受信部と、
前記パラメータが示す優先度と、前記キャンセル指示が示す時間領域リソース及び周波数領域リソースと、に基づいて前記ＰＵＳＣＨ送信をキャンセルするように制御する制御部と、を有することを特徴とする端末。
【請求項２】
前記制御部は、前記第１のＤＣＩの最終シンボルから所定期間後の前記時間領域リソースとオーバーラップする前記ＰＵＳＣＨ送信をキャンセルするように制御することを特徴とする請求項１に記載の端末。
【請求項３】
前記第１のＤＣＩは、１以上の端末に共通のＤＣＩであることを特徴とする請求項１又は２に記載の端末。
【請求項４】
Ｐｈｙｓｉｃａｌ  Ｕｐｌｉｎｋ  Ｓｈａｒｅｄ  Ｃｈａｎｎｅｌ（ＰＵＳＣＨ）送信のキャンセル指示を含む第１のＤｏｗｎｌｉｎｋ  Ｃｏｎｔｒｏｌ  Ｉｎｆｏｒｍａｔｉｏｎ（ＤＣＩ）を受信する工程と、
前記ＰＵＳＣＨ送信の優先度を示すパラメータを含む第２のＤＣＩを受信する工程と、
前記パラメータが示す優先度と、前記キャンセル指示が示す時間領域リソース及び周波数領域リソースと、に基づいて前記ＰＵＳＣＨ送信をキャンセルするように制御する工程と、を有する端末の無線通信方法。
【請求項５】
Ｐｈｙｓｉｃａｌ  Ｕｐｌｉｎｋ  Ｓｈａｒｅｄ  Ｃｈａｎｎｅｌ（ＰＵＳＣＨ）送信のキャンセル指示を含む第１のＤｏｗｎｌｉｎｋ  Ｃｏｎｔｒｏｌ  Ｉｎｆｏｒｍａｔｉｏｎ（ＤＣＩ）と、前記ＰＵＳＣＨ送信の優先度を示すパラメータを含む第２のＤＣＩと、を送信する送信部と、
前記パラメータが示す優先度と、前記キャンセル指示が示す時間領域リソース及び周波数領域リソースと、に基づいて前記ＰＵＳＣＨを受信しないように制御する制御部と、を有することを特徴とする基地局。
【請求項６】
端末と基地局を有するシステムであって、
前記端末は、
Ｐｈｙｓｉｃａｌ  Ｕｐｌｉｎｋ  Ｓｈａｒｅｄ  Ｃｈａｎｎｅｌ（ＰＵＳＣＨ）送信のキャンセル指示を含む第１のＤｏｗｎｌｉｎｋ  Ｃｏｎｔｒｏｌ  Ｉｎｆｏｒｍａｔｉｏｎ（ＤＣＩ）と、前記ＰＵＳＣＨ送信の優先度を示すパラメータを含む第２のＤＣＩと、を受信する受信部と、
前記パラメータが示す優先度と、前記キャンセル指示が示す時間領域リソース及び周波数領域リソースと、に基づいて前記ＰＵＳＣＨ送信をキャンセルするように制御する制御部と、を有し、
前記基地局は、
前記第１のＤＣＩと、前記第２のＤＣＩと、を送信する送信部と、
前記パラメータが示す優先度と、前記キャンセル指示が示す前記時間領域リソース及び前記周波数領域リソースと、に基づいて前記ＰＵＳＣＨを受信しないように制御する制御部と、を有することを特徴とするシステム。
【手続補正３】
【補正対象書類名】明細書
【補正対象項目名】０００９
【補正方法】変更
【補正の内容】
【０００９】
そこで、本開示は、上り送信の停止を適切に制御可能な端末、無線通信方法、基地局及びシステムを提供することを目的の１つとする。
【手続補正４】
【補正対象書類名】明細書
【補正対象項目名】００１０
【補正方法】変更
【補正の内容】
【００１０】
本開示の一態様に係る端末は、Ｐｈｙｓｉｃａｌ  Ｕｐｌｉｎｋ  Ｓｈａｒｅｄ  Ｃｈａｎｎｅｌ（ＰＵＳＣＨ）送信のキャンセル指示を含む第１のＤｏｗｎｌｉｎｋ  Ｃｏｎｔｒｏｌ  Ｉｎｆｏｒｍａｔｉｏｎ（ＤＣＩ）と、前記ＰＵＳＣＨ送信の優先度を示すパラメータを含む第２のＤＣＩと、を受信する受信部と、前記パラメータが示す優先度と、前記キャンセル指示が示す時間領域リソース及び周波数領域リソースと、に基づいて前記ＰＵＳＣＨ送信をキャンセルするように制御する制御部と、を有することを特徴とする。
【国際調査報告】
2020065893.tif 000013
2020065893.tif 000014
2020065893.tif 000015
2020065893.tif 000016